(57)【特許請求の範囲】
【請求項１】
底壁の外縁部から外周壁が起立すると共に、前記底壁の下面から突出して前記底壁を浮かせた状態にする底リブが前記外周壁より内側で前記外周壁に沿って延びた容器において、
前記底壁の下面のうち前記底リブより外側の部分から突出し、前記底リブと共に前記底壁を支持する支持突部を備え、
前記底リブには、前記外周壁のコーナー部に沿って延在するＬ字状部分が備えられると共に、前記支持突部が前記底リブのＬ字状部分に沿って延びる略Ｌ字状に形成されて、前記底壁に、前記底リブと前記支持突部との間に挟まれたＬ字領域が形成され、
前記底壁には、前記Ｌ字領域の少なくとも一部が厚肉にされてなる厚肉部が形成されると共に、前記厚肉部を除く部分に薄肉部が形成され、
前記厚肉部の前記薄肉部からの突出量は、前記支持突部の前記薄肉部からの突出量よりも小さくなっていて、
前記厚肉部は、前記支持突部に沿って延在するＬ字状をなすと共に、その延在方向の全域にわたって前記底リブと前記支持突部に挟まれる方向で前記底リブと前記支持突部を連絡し、
前記支持突部におけるＬ字の両末端部に、末端へ向かうにつれて突出量が小さくなるテーパ部が設けられると共に、
前記厚肉部におけるＬ字の両末端部に、末端へ向かうにつれて薄肉となるテーパ部が設けられたことを特徴とする容器。
【請求項２】
前記厚肉部のＬ字の各辺部が前記支持突部のＬ字の各辺部よりも短く形成されて、前記厚肉部が前記Ｌ字領域内に収まっていることを特徴とする請求項１に記載の容器。
【発明の詳細な説明】
【技術分野】
【０００１】
本発明は、底壁の下面から突出して底壁を浮かせた状態にする底リブを備えた容器に関する。
【背景技術】
【０００２】
従来、この種の容器として、図１４（Ａ）に示す容器１のように、底リブ４Ａが容器本体２の外周壁３よりも内側で外周壁３に沿って延びたものが知られている。この容器１では、容器本体２に蓋体５が取り付け可能となっていて、複数の容器１が上下に段積みされたときに、上側の容器１の底リブ４Ａが、下側の容器１の蓋体５に形成された環状溝５Ａと係合して、容器１の横ずれを規制するようになっている（例えば、特許文献１参照）。
【先行技術文献】
【特許文献】
【０００３】
【特許文献１】特開２００４−８３０５４号公報（段落［００１９］、図２及び図３）
【発明の概要】
【発明が解決しようとする課題】
【０００４】
しかしながら、上述の容器１では、底リブ４Ａが外周壁３よりも内側に配置されているため、外周壁３に荷重がかかると、図１４（Ｂ）に２点鎖線で示すように、底壁４が底リブ４Ａを支点として変形し、破損するという問題があった。
【０００５】
本発明は、上記事情に鑑みてなされたもので、底壁の破損を抑制可能な容器の提供を目的とする。
【課題を解決するための手段】
【０００６】
上記目的を達成するためになされた請求項１の発明に係る容器は、底壁の外縁部から外周壁が起立すると共に、底壁の下面から突出して底壁を浮かせた状態にする底リブが外周壁より内側で外周壁に沿って延びた容器において、底壁の下面のうち底リブより外側の部分から突出し、底リブと共に底壁を支持する支持突部を備え、前記底リブには、前記外周壁のコーナー部に沿って延在するＬ字状部分が備えられると共に、前記支持突部が前記底リブのＬ字状部分に沿って延びる略Ｌ字状に形成されて、前記底壁に、前記底リブと前記支持突部との間に挟まれたＬ字領域が形成され、前記底壁には、前記Ｌ字領域の少なくとも一部が厚肉にされてなる厚肉部が形成されると共に、前記厚肉部を除く部分に薄肉部が形成され、前記厚肉部の前記薄肉部からの突出量は、前記支持突部の前記薄肉部からの突出量よりも小さくなっていて、前記厚肉部は、前記支持突部に沿って延在するＬ字状をなすと共に、その延在方向の全域にわたって前記底リブと前記支持突部に挟まれる方向で前記底リブと前記支持突部を連絡し、前記支持突部におけるＬ字の両末端部に、末端へ向かうにつれて突出量が小さくなるテーパ部が設けられると共に、前記厚肉部におけるＬ字の両末端部に、末端へ向かうにつれて薄肉となるテーパ部が設けられたところに特徴を有する。
【０００７】
なお、ここで、「外周壁に沿って延びる」ことには、外周壁の全体に沿って延びる環状のものだけでなく、外周壁の周方向における一部に沿って延びるものも含むものとする。具体的には、外周壁が円形状である場合には、円形のものだけでなく円弧状のものも含み、外周壁が長方形状である場合には、四角形のものだけでなくコの字状やＬ字状のものも含む。
【０００８】
請求項２の発明は、請求項１に記載の容器において、厚肉部のＬ字の各辺部が支持突部のＬ字の各辺部よりも短く形成されて、厚肉部がＬ字領域内に収まっているところに特徴を有する。
【発明の効果】
【００１１】
［請求項１の発明］
請求項１の発明によれば、外周壁に荷重がかかった場合に、底壁の下面のうち底リブより外側に配される部分から突出した支持突部が、底リブと共に底壁を支持する。これにより、底壁が底リブを支点として変形することが抑えられ、底壁の破損を抑制することが可能となる。
【００１２】
また、請求項１の発明によれば、底壁のうち応力が集中しやすいコーナー部に支持突部が配置されるので、容器の重量増加を抑えつつ底壁の破損を効率よく抑えることが可能となる。しかも、支持突部の形状は、底リブのＬ字状部分に沿って延びる略Ｌ字状になっているので、支持突部による支持の安定化が図られる。
【００１３】
また、請求項１の発明では、底壁のうち底リブと支持突部との間に挟まれた部分に厚肉部が形成されているので、底壁のうち支持突部の形成によって応力が集中しやすくなる部分の破損を抑えることが可能となる。
【００１４】
さらに、請求項１の発明によれば、厚肉部の末端部で急に肉厚が薄くなることが抑えられ、厚肉部の末端部での底壁の破損を抑えることが可能となる。
また、請求項２の発明によれば、厚肉部を目立たなくして、外観不良を抑えることが可能となる。
【図面の簡単な説明】
【００１５】
【図１】本発明の一実施形態に係る容器の斜視図
【図２】（Ａ）蓋体を上方から見た斜視図、（Ｂ）蓋体を下方から見た斜視図
【図３】容器本体を上方から見た斜視図
【図４】容器本体を下方から見た斜視図
【図５】容器本体の底面図
【図６】段積みされた容器本体の一部破断斜視図
【図７】段積みされた容器の側断面図
【図８】図４における支持突部周辺の拡大図
【図９】図５における支持突部周辺の拡大図
【図１０】容器本体のＡ−Ａ断面図
【図１１】容器本体のＢ−Ｂ断面図
【図１２】変形例に係る容器本体の側断面図
【図１３】（Ａ）変形例に係る容器本体を下方から見た斜視図、（Ｂ）変形例に係る容器本体を下方から見た斜視図
【図１４】（Ａ）従来の容器の側断面図、（Ｂ）底リブ周辺の側断面図
【発明を実施するための形態】
【００１６】
以下、本発明の一実施形態を図１〜図１１に基づいて説明する。図１に示すように、本実施形態の容器１０は、容器本体１１と蓋体４０とを備えている。容器本体１１は、上端が開口した略直方体状になっていて（図３参照）、蓋体４０は、略長方形状の平板状になっている（図２（Ａ）参照）。なお、略長方形状であるものには、四辺の長さが全て等しくなった正方形状であるものが含まれるものとする。
【００１７】
図２（Ａ）に示すように、蓋体４０は、主板４１の外側に土手部４２を備えた構造になっている。土手部４２は、主板４１の外縁部から上方に起立した内側環状壁４３と、内側環状壁４３に外側から対向する外側環状壁４４と、内側環状壁４３と外側環状壁４４の上端部同士を連絡する上端連絡壁４５とで構成されている。そして、図２（Ｂ）に示すように、土手部４２の裏側には、環状溝４６が形成されている。そして、この環状溝４６が、後述する容器本体１１の外周壁１３と嵌合することで、蓋体４０が容器本体１１に取り付けられるようになっている。
【００１８】
図２（Ａ）に示すように、外側環状壁４４の下端部からは、突片４４Ａが外側に張り出している。詳細には、突片４４Ａは、外側環状壁４４の四隅のうち一の隅部に配置されている。この突片４４Ａによって、蓋体４０の容器本体１１からの取り外しが容易となっている。
【００１９】
また、主板４１の外縁寄り部分には、後述する容器本体１１の底リブ２０と係合可能な環状突部４１Ｔが形成されている。なお、環状突部４１Ｔは、蓋体４０の外形と同様に、平面視略長方形状になっている。
【００２０】
図３に示すように、容器本体１１は、底壁１２の外縁部から外周壁１３が起立した構造になっている。外周壁１３は、互いに対向する１対の第１対向壁１３Ａ，１３Ａと、１対の第２対向壁１３Ｂ，１３Ｂとを備え、第１対向壁１３Ａ，１３Ａ同士及び第２対向壁１３Ｂ，１３Ｂ同士は、底壁１２から遠ざかるにつれて互いに離れるように緩やかに傾斜している。
【００２１】
底壁１２は、平板状をなす平坦部１２Ａの外側に湾曲部１２Ｂを備えた構造になっている。湾曲部１２Ｂは、外側へ向かうにつれて上方へ向かうＲ形状になっていて、湾曲部１２Ｂの外側の端部から上述した外周壁１３が起立している（図７参照）。
【００２２】
外周壁１３のコーナー部分には、第１対向壁１３Ａと第２対向壁１３Ｂとに挟まれたネスティング突部１５が形成されている。このネスティング突部１５は、外周壁１３のコーナー部分の肉厚を第１対向壁１３Ａ及び第２対向壁１３Ｂよりも厚肉にすることで形成される。
【００２３】
ネスティング突部１５は、外周壁１３のうち下端部（底壁１２側の端部）に配置され、図６に示すように、複数の容器本体１１が上下に段積みされたときに、上側に配置される容器本体１１の底壁１２の湾曲部１２Ｂと当接して、上側の容器本体１１の底壁１２を下側の容器本体１１の底壁１２から浮き上がり状態にする。このとき、上側の容器本体１１の外周壁１３は、下側の容器本体１１の外周壁１３との間に隙間を有して配置される。これにより、段積みされた複数の容器本体１１から容器本体１１を取り出すことが容易となっている。なお、ネスティング突部１５の上面の形状は、底壁１２の湾曲部１２Ｂに対応したＲ形状となっている。
【００２４】
図４に示すように、底壁１２の下面１２Ｍには、底リブ２０が突設されている。ここで、底壁１２の下面１２Ｍは、底壁１２を下方から見たときに視認される面の全体を指し、底壁１２の平坦部１２Ａの下面だけでなく、湾曲部１２Ｂの下面も含まれるものとする。底リブ２０は、外周壁１３よりも内側に配置され（図７参照）、外周壁１３に沿って延びている。具体的には、底リブ２０は、外周壁１３と同様に、平面視略長方形状になっている（図５参照）。
【００２５】
図７には、容器本体１１に蓋体４０を取り付けてなる複数の容器１０が上下に段積みされた状態が示されている。同図に示すように、上側に配置される容器１０Ａ（以下、「上側容器１０Ａ」という。）の底リブ２０は、下側に配置される容器１０Ｂ（以下、「下側容器１０Ｂ」という。）の蓋体４０と当接し、上側容器１０Ａの底壁１２を下側容器１０Ｂの蓋体４０から浮かせた状態にする。また、上側容器１０Ａの底リブ２０は、下側容器１０Ｂの蓋体４０の環状突部４１Ｔの内側に突入して、その環状突部４１Ｔによって四方を囲まれる。これにより、上側容器１０Ａ（容器本体１１）が下側容器１１Ｂに対して側方へ移動することが規制される。なお、下側容器１０Ｂの底リブ２０は、下側容器１０Ｂの底壁１２を容器載置面９０から浮かせた状態にする。
【００２６】
図４に示すように、底壁１２の下面１２Ｍのうち底リブ２０よりも外側の部分からは、支持突部３０が突出している。図４及び図５に示すように、支持突部３０は、底壁１２の各コーナー部１２Ｃに配置され、底リブ２０のコーナー部２０Ｃに沿って延びたＬ字状になっている。なお、詳細には、支持突部３０は、主として底壁１２の平坦部１２Ａ上に配置され、支持突部３０のうち底壁１２の外縁側の端部が湾曲部１２Ｂにはみ出している（図１０参照）。
【００２７】
図８に拡大して示すように、支持突部３０のＬ字の両端部には、Ｌ字の両端へ向かうにつれて突出量が小さくなったテーパ部３１，３１が設けられている。また、支持突部３０のうちテーパ部３１，３１に挟まれた中間部は、突出量がほぼ一定になった平坦部３２となっている。底壁１２の下面１２Ｍからの平坦部３２の突出量は、下面１２Ｍからの底リブ２０の突出量とほぼ同じになっていて、これにより、支持突部３０は、底リブ２０と共に底壁１２を支持可能となっている（図１０参照）。
【００２８】
また、図８に示すように、底壁１２のうち底リブ２０のコーナー部２０Ｃと支持突部３０とに挟まれた部分には、底壁１２を厚肉にしてなる厚肉部１６が形成されている。そして、底壁１２のうち厚肉部１６より外側の部分が、厚肉部１６よりも薄肉な薄肉部１７となっている。詳細には、図９に示すように、コーナー部２０Ｃと支持突部３０との間には、Ｌ字領域Ｒ１が形成されていて、厚肉部１６は、Ｌ字領域Ｒ１の幅方向で底リブ２０と支持突部３０とを連絡するＬ字状をなしている。また、厚肉部１６は、Ｌ字の全長がＬ字領域Ｒ１の全長よりも若干短くなっていて、Ｌ字領域Ｒ１内に収められている。
【００２９】
図１１に示すように、厚肉部１６の薄肉部１７側の端部、即ち、Ｌ字の両端部には、薄肉部１７に近づくにつれて徐々に薄肉となるテーパ部１６Ｓが設けられている。これにより、厚肉部１６と薄肉部１７の境界で底壁１２の厚みが急に変化することがなくなり、厚肉部１６と薄肉部１７の境界部分での底壁１２の破損を抑えることが可能となる。
【００３０】
ところで、図１０に示すように、Ｌ字領域Ｒ１の幅方向（図１０では横方向）で、厚肉部１６の突出高さは、支持突部３０の突出高さよりも小さくなっている。また、上述の如く、厚肉部１６は、Ｌ字領域Ｒ１内に収められている（図９参照）。従って、容器本体１１を側方から見たときには、厚肉部１６は、支持突部３０の裏側に隠れるように配置される（図８参照）。これにより、厚肉部１６を目立たなくして、外観不良を抑えることが可能となる。
【００３１】
本実施形態の容器１０の構成に関する説明は以上である。次に、容器１０の作用効果について説明する。
【００３２】
本実施形態の容器１０では、例えば、容器１０を上下に段積みしたり（図７参照）、容器１０を上下にチャッキングするときに、容器本体１１の外周壁１３に上下から荷重がかかることがある。ここで、底壁１２を浮かせた状態にする底リブ２０は、外周壁１３よりも内側に配置されているので、図１４（Ａ）及び図１４（Ｂ）に示した従来の容器１のように、底リブ４Ａのみを備えた構成のものでは、底壁４が底リブ４Ａを支点として変形して破損するという問題が生じ得る。これに対し、本実施形態の容器１０では、外周壁１３に荷重がかかった場合に、底壁１２の下面１２Ｍのうち底リブ２０より外側の部分から突出した支持突部３０が底リブ２０と共に底壁１２を支持する。これにより、底壁１２が底リブ２０を支点として変形することが抑えられ、底壁１２の破損を抑制することが可能となる。
【００３３】
また、本実施形態の容器１０では、外周壁１３に荷重がかかったときに応力が集中しやすい底壁１２のコーナー部１２Ｃにのみ支持突部１５が配置されているので、支持突部１５を設けたことによる容器１０（容器本体１１）の重量増加を抑えつつ底壁１２の破損を抑えることが可能となる。言い換えれば、底壁１２の破損防止に必要な箇所のみ支持突部１５を設けて、支持突部１５がオーバースペックとなることが抑制されている。特に、容器１０では、外周壁１３のコーナー部分に厚肉のネスティング突部１５が形成されることで、底壁１２のコーナー部１２Ｃに応力が集中しやすい構造となっているので、支持突部３０を底壁１２のコーナー部１２Ｃに配置することが効果的となっている。また、本実施形態では、支持突部３０の形状が、平面視略長方形状の底リブ２０のコーナー部２０Ｃに沿って延びた略Ｌ字状になっているので、支持突部３０による支持の安定化が図られる。
【００３４】
さらに、本実施形態の容器１０では、容器本体１１の底壁１２のうち底リブ２０と支持突部３０との間に挟まれた部分に厚肉部１６が形成されているので、底壁１２のうち支持突部３０の突設によって応力が集中しやすくなる部分を補強することが可能となる。しかも、底壁１２のうち厚肉部１６より外側の部分は薄肉になっているので、厚肉部１６の形成による底壁１２の重量化を抑えることが可能となる。
【００３５】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００３６】
（１）上記実施形態の容器１０では、支持突部３０が底壁１２の平板部１２Ａ上と湾曲部１２Ｂ上とに配置されていたが、湾曲部１２Ｂ上にのみ配置されてもよいし（図１２参照）、平坦部１２Ａ上にのみ配置されてもよい。なお、図１２の例では、底リブ２０と支持突部３０との間に形成される厚肉部１６の下面が平坦になっている。
【００３７】
（２）上記実施形態では、底リブ２０は、外周壁１３の全周に沿った環状であったが、例えば、図１３（Ａ）に示すようにＬ字状であってもよいし、図１３（Ｂ）に示すようにコの字状であってもよい。その際、底リブ２０の端部を、支持突部３０のテーパ部３１と同様に、テーパ状に形成してもよい。なお、図１３（Ａ）の例では、底壁１２の各コーナー部１２Ｃに底リブ２０が１つずつ配置され、図１３（Ｂ）の例では、底リブ２０，２０が底壁１２の長手方向で対向するように対をなして配置されている。
【００３８】
（３）上記実施形態では、容器本体１１及び外周壁１３が平面視略長方形状であったが、例えば、平面視略円形状であってもよい。その際、底リブ２０は、略円形状であってもよいし、外周壁１３の一部に沿って形成された略円弧状であってもよい。
【００３９】
（４）上記実施形態では、容器１０が容器本体１１と蓋体４０とで構成でされていたが、蓋体４０を備えずに、容器本体１１のみで構成されてもよい。
【００４０】
（５）上記実施形態では、容器本体１１を側方から見たときに、厚肉部１６がＬ字領域Ｒ１内に収まって厚肉部１６が支持突部３０の裏側に隠れる構成であったが、厚肉部１６がＬ字領域Ｒ１の外側に飛び出して露出する構成としてもよい。
【００４１】
（６）上記実施形態において、支持突部３０にテーパ部３１を備えずに、支持突部３０の突出量を一定としてもよい。
【００４２】
（７）上記実施形態において、図１４（Ａ）に示した従来の容器１と同様に、蓋体４０に環状溝を形成し、容器１０を段積みしたときに、底リブ２０が環状溝と嵌合する構成でとしてもよい。
【符号の説明】
【００４３】
１０    容器
１１    容器本体
１２    底壁
１２Ｍ    下面
１３    外周壁
１６    厚肉部
１７    薄肉部
２０    底リブ
３０    支持突部
４０    蓋体
【図１】
0006406699.tif 000002
【図２】
0006406699.tif 000003
【図３】
0006406699.tif 000004
【図４】
0006406699.tif 000005
【図５】
0006406699.tif 000006
【図６】
0006406699.tif 000007
【図７】
0006406699.tif 000008
【図８】
0006406699.tif 000009
【図９】
0006406699.tif 000010
【図１０】
0006406699.tif 000011
【図１１】
0006406699.tif 000012
【図１２】
0006406699.tif 000013
【図１３】
0006406699.tif 000014
【図１４】
0006406699.tif 000015